【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
下記式（２）で表される繰り返し単位構造を含むことを特徴とするトリアジン環含有重合体。
【化１】
2015025131.tif 000001
｛式中、ＲおよびＲ′は、互いに独立して、水素原子、アルキル基、アルコキシ基、アリール基、またはアラルキル基を表し、Ｒ"は、アルキルアミノ基、アルコキシシリル基含有アルキルアミノ基、アラルキルアミノ基、フェニルアミノ基、メトキシカルボニルフェニルアミノ基、エトキシカルボニルフェニルアミノ基、ナフチルアミノ基、メトキシカルボニルナフチルアミノ基、エトキシカルボニルナフチルアミノ基、アントラニルアミノ基、ピレニルアミノ基、ビフェニルアミノ基、ターフェニルアミノ基、フルオレニルアミノ基、アルコキシ基、アラルキルオキシ基またはアリールオキシ基を表し、Ａｒは、式（３）〜（１４）および（１７）〜（１９）で示される群から選ばれる少なくとも１種を表す。
【化２】
2015025131.tif 000002
〔式中、Ｒ1〜Ｒ88およびＲ105〜Ｒ128は、互いに独立して、水素原子、ハロゲン原子、カルボキシル基、スルホン基、炭素数１〜１０の分岐構造を有していてもよいアルキル基、または炭素数１〜１０の分岐構造を有していてもよいアルコキシ基を表し、
Ｗ1は、単結合、Ｃ＝ＯまたはＮＲ129（Ｒ129は、水素原子または炭素数１〜１０の分岐構造を有していてもよいアルキル基を表す。）を表し、
Ｗ2およびＷ3は、互いに独立して、単結合、ＣＲ130Ｒ131（Ｒ130およびＲ131は、互いに独立して、水素原子または炭素数１〜１０の分岐構造を有していてもよいアルキル基（ただし、これらは一緒になって環を形成していてもよい。）を表す。）、Ｃ＝Ｏ、Ｏ、Ｓ、ＳＯ、ＳＯ2、またはＮＲ129（Ｒ129は前記と同じ意味を表す。）を表し、
Ｘ1およびＸ2は、互いに独立して、単結合、炭素数１〜１０の分岐構造を有していてもよいアルキレン基、または式（２０）
【化３】
2015025131.tif 000003
（式中、Ｒ132〜Ｒ135は、互いに独立して、水素原子、ハロゲン原子、カルボキシル基、スルホン基、炭素数１〜１０の分岐構造を有していてもよいアルキル基、または炭素数１〜１０の分岐構造を有していてもよいアルコキシ基を表し、
Ｙ1およびＹ2は、互いに独立して、単結合または炭素数１〜１０の分岐構造を有していてもよいアルキレン基を表す。）
で示される基を表す。〕｝
【請求項２】
前記Ａｒが、式（６）〜（１２）で示される群から選ばれる少なくとも１種である請求項１記載のトリアジン環含有重合体。
【請求項３】
前記Ａｒが、式（８）、（９）および（１２）で示される群から選ばれる少なくとも１種である請求項１記載のトリアジン環含有重合体。
【請求項４】
前記Ａｒが、式（６）および（１７）〜（１９）で示される群から選ばれる少なくとも１種である請求項１記載のトリアジン環含有重合体。
【請求項５】
前記Ａｒが、下記式（２１）または（２２）で表される請求項１記載のトリアジン環含有重合体。
【化４】
2015025131.tif 000004
（式中、Ｒ136〜Ｒ159は、互いに独立して、水素原子、ハロゲン原子、カルボキシル基、スルホン基、炭素数１〜１０の分岐構造を有していてもよいアルキル基（ただし、Ｒ158およびＲ159は一緒になって環を形成していてもよい。）、または炭素数１〜１０の分岐構造を有していてもよいアルコキシ基を表す。）
【請求項６】
前記繰り返し単位構造が、式（２４）で示される請求項１記載のトリアジン環含有重合体。
【化５】
2015025131.tif 000005
【請求項７】
少なくとも１つの末端が、アルキル基、アラルキル基、アリール基、アルキルアミノ基、アルコキシシリル基含有アルキルアミノ基、アラルキルアミノ基、アリールアミノ基、アルコキシ基、アラルキルオキシ基、アリールオキシ基、またはエステル基でキャップされている請求項１〜６のいずれか１項記載のトリアジン環含有重合体。
【請求項８】
少なくとも１つのトリアジン環末端を有し、このトリアジン環末端が、アルキル基、アラルキル基、アリール基、アルキルアミノ基、アルコキシシリル基含有アルキルアミノ基、アラルキルアミノ基、アリールアミノ基、アルコキシ基、アラルキルオキシ基、アリールオキシ基、またはエステル基でキャップされている請求項７記載のトリアジン環含有重合体。
【請求項９】
請求項１〜８のいずれか１項記載のトリアジン環含有重合体を含む膜形成用組成物。
【請求項１０】
請求項１〜８のいずれか１項記載のトリアジン環含有重合体を含む膜。
【請求項１１】
基材と、この基材上に形成された請求項１０記載の膜とを備える電子デバイス。
【請求項１２】
基材と、この基材上に形成された請求項１０記載の膜とを備える光学部材。
【請求項１３】
請求項１０記載の膜を少なくとも１層備える、電荷結合素子または相補性金属酸化膜半導体からなる固体撮像素子。
【請求項１４】
請求項１０記載の膜をカラーフィルター上の平坦化層として備える固体撮像素子。
【手続補正２】
【補正対象書類名】明細書
【補正対象項目名】００１４
【補正方法】変更
【補正の内容】
【００１４】
すなわち、本発明は、
１．  下記式（２）で表される繰り返し単位構造を含むことを特徴とするトリアジン環含有重合体、
【化１】
2015025131.tif 000006
｛式中、ＲおよびＲ′は、互いに独立して、水素原子、アルキル基、アルコキシ基、アリール基、またはアラルキル基を表し、Ｒ"は、アルキルアミノ基、アルコキシシリル基含有アルキルアミノ基、アラルキルアミノ基、フェニルアミノ基、メトキシカルボニルフェニルアミノ基、エトキシカルボニルフェニルアミノ基、ナフチルアミノ基、メトキシカルボニルナフチルアミノ基、エトキシカルボニルナフチルアミノ基、アントラニルアミノ基、ピレニルアミノ基、ビフェニルアミノ基、ターフェニルアミノ基、フルオレニルアミノ基、アルコキシ基、アラルキルオキシ基またはアリールオキシ基を表し、Ａｒは、式（３）〜（１４）および（１７）〜（１９）で示される群から選ばれる少なくとも１種を表す。
【化２】
2015025131.tif 000007
〔式中、Ｒ1〜Ｒ88およびＲ105〜Ｒ128は、互いに独立して、水素原子、ハロゲン原子、カルボキシル基、スルホン基、炭素数１〜１０の分岐構造を有していてもよいアルキル基、または炭素数１〜１０の分岐構造を有していてもよいアルコキシ基を表し、Ｗ1は、単結合、Ｃ＝ＯまたはＮＲ129（Ｒ129は、水素原子または炭素数１〜１０の分岐構造を有していてもよいアルキル基を表す。）を表し、Ｗ2およびＷ3は、互いに独立して、単結合、ＣＲ130Ｒ131（Ｒ130およびＲ131は、互いに独立して、水素原子または炭素数１〜１０の分岐構造を有していてもよいアルキル基（ただし、これらは一緒になって環を形成していてもよい。）を表す。）、Ｃ＝Ｏ、Ｏ、Ｓ、ＳＯ、ＳＯ2、またはＮＲ129（Ｒ129は前記と同じ意味を表す。）を表し、Ｘ1およびＸ2は、互いに独立して、単結合、炭素数１〜１０の分岐構造を有していてもよいアルキレン基、または式（２０）
【化３】
2015025131.tif 000008
（式中、Ｒ132〜Ｒ135は、互いに独立して、水素原子、ハロゲン原子、カルボキシル基、スルホン基、炭素数１〜１０の分岐構造を有していてもよいアルキル基、または炭素数１〜１０の分岐構造を有していてもよいアルコキシ基を表し、Ｙ1およびＹ2は、互いに独立して、単結合または炭素数１〜１０の分岐構造を有していてもよいアルキレン基を表す。）で示される基を表す。〕｝
２．  前記Ａｒが、式（６）〜（１２）で示される群から選ばれる少なくとも１種である１のトリアジン環含有重合体、
３．  前記Ａｒが、式（８）、（９）および（１２）で示される群から選ばれる少なくとも１種である１のトリアジン環含有重合体、
４．  前記Ａｒが、式（６）および（１７）〜（１９）で示される群から選ばれる少なくとも１種である１のトリアジン環含有重合体、
５．  前記Ａｒが、下記式（２１）または（２２）で表される１のトリアジン環含有重合体、
【化４】
2015025131.tif 000009
（式中、Ｒ136〜Ｒ159は、互いに独立して、水素原子、ハロゲン原子、カルボキシル基、スルホン基、炭素数１〜１０の分岐構造を有していてもよいアルキル基（ただし、Ｒ158およびＲ159は一緒になって環を形成していてもよい。）、または炭素数１〜１０の分岐構造を有していてもよいアルコキシ基を表す。）
６．  前記繰り返し単位構造が、式（２４）で示される１のトリアジン環含有重合体、
【化５】
2015025131.tif 000010
７．  少なくとも１つの末端が、アルキル基、アラルキル基、アリール基、アルキルアミノ基、アルコキシシリル基含有アルキルアミノ基、アラルキルアミノ基、アリールアミノ基、アルコキシ基、アラルキルオキシ基、アリールオキシ基、またはエステル基でキャップされている１〜６のいずれかのトリアジン環含有重合体、
８．  少なくとも１つのトリアジン環末端を有し、このトリアジン環末端が、アルキル基、アラルキル基、アリール基、アルキルアミノ基、アルコキシシリル基含有アルキルアミノ基、アラルキルアミノ基、アリールアミノ基、アルコキシ基、アラルキルオキシ基、アリールオキシ基、またはエステル基でキャップされている７のトリアジン環含有重合体、
９．  １〜８のいずれかのトリアジン環含有重合体を含む膜形成用組成物、
１０．  １〜８のいずれかのトリアジン環含有重合体を含む膜、
１１．  基材と、この基材上に形成された１０の膜とを備える電子デバイス、
１２．  基材と、この基材上に形成された１０の膜とを備える光学部材、
１３．  １０の膜を少なくとも１層備える、電荷結合素子または相補性金属酸化膜半導体からなる固体撮像素子、
１４．  １０の膜をカラーフィルター上の平坦化層として備える固体撮像素子
を提供する。